(57)【要約】【課題】ユーザが情報保持媒体を紛失しても、第３者によって印刷データの印刷が不正に実行されてしまうことがなく、機密性の高い印刷データであってもセキュリティを確保することができるようにする。【解決手段】第１の端末装置は、情報保持媒体から第１の印刷禁止解除情報を取得する第１の媒体情報取得部と、第１の印刷禁止解除情報及び印刷データを含む印刷ジョブを生成するジョブ生成部とを備え、第２の端末装置は、印刷データの印刷を禁止する印刷禁止情報を入力する情報入力部を備え、印刷装置は、情報保持媒体から第１の印刷禁止解除情報を取得する第２の媒体情報取得部と、印刷データの印刷を行うか又は禁止するかを判断する判断部とを備え、第１の印刷禁止解除情報を取得したか否か、及び、印刷禁止情報を受信したか否かに応じて、印刷データの印刷を行うか又は禁止するかを判断する。【選択図】図１
2016139347.tif 000002
【特許請求の範囲】
【請求項１】
（ａ）第１の端末装置と、第２の端末装置と、前記第１の端末装置及び第２の端末装置に接続され、前記第１の端末装置から受信した印刷ジョブに含まれる印刷データの認証印刷を行う印刷装置とを備える印刷システムであって、
（ｂ）前記第１の端末装置は、情報保持媒体から第１の印刷禁止解除情報を取得する第１の媒体情報取得部と、前記第１の印刷禁止解除情報及び印刷データを含む印刷ジョブを生成するジョブ生成部と、前記印刷ジョブを印刷装置に送信する第１の送信部とを備え、
（ｃ）前記第２の端末装置は、前記印刷データの印刷を禁止する印刷禁止情報を入力する情報入力部と、前記印刷禁止情報を印刷装置に送信する第２の送信部とを備え、
（ｄ）前記印刷装置は、前記第１の端末装置及び第２の端末装置から前記印刷ジョブ及び印刷禁止情報をそれぞれ受信する受信部と、前記情報保持媒体から第１の印刷禁止解除情報を取得する第２の媒体情報取得部と、前記印刷データの印刷を行うか又は禁止するかを判断する判断部とを備え、
（ｅ）該判断部は、前記第２の媒体情報取得部が第１の印刷禁止解除情報を取得したか否か、及び、前記受信部が第２の端末装置から印刷禁止情報を受信したか否かに応じて、前記印刷データの印刷を行うか又は禁止するかを判断することを特徴とする印刷システム。
【請求項２】
前記受信部が第２の端末装置から印刷禁止情報を受信した場合、前記判断部は、前記受信部が第１の端末装置から受信した印刷ジョブに含まれる第１の印刷禁止解除情報が前記印刷禁止情報と同一であるとき、当該印刷ジョブに含まれる印刷データの印刷を禁止する請求項１に記載の印刷システム。
【請求項３】
前記判断部は、前記受信部が第１の端末装置から受信した印刷ジョブに含まれる第１の印刷禁止解除情報が、前記第２の媒体情報取得部が取得した第１の印刷禁止解除情報と同一であっても、当該印刷ジョブに含まれる印刷データの印刷を禁止する請求項２に記載の印刷システム。
【請求項４】
前記受信部が第２の端末装置から印刷禁止情報を受信しなかった場合、前記判断部は、前記受信部が第１の端末装置から受信した印刷ジョブに含まれる第１の印刷禁止解除情報が、前記第２の媒体情報取得部が取得した第１の印刷禁止解除情報と同一であるとき、当該印刷ジョブに含まれる印刷データの印刷を行う請求項１に記載の印刷システム。
【請求項５】
前記第１の端末装置は、第２の印刷禁止解除情報を格納する解除情報格納部を更に備え、前記ジョブ生成部が生成する印刷ジョブは前記第２の印刷禁止解除情報を更に含み、
前記印刷装置は、前記第２の印刷禁止解除情報を入力する解除情報入力部を更に備え、
前記判断部は、前記受信部が第１の端末装置から受信した印刷ジョブに含まれる第２の印刷禁止解除情報が、前記解除情報入力部に入力された第２の印刷禁止解除情報と同一であるとき、当該印刷ジョブに含まれる印刷データの印刷を行う請求項１に記載の印刷システム。
【請求項６】
前記判断部は、前記第２の媒体情報取得部が第１の印刷禁止解除情報を取得しない場合でも、前記受信部が第１の端末装置から受信した印刷ジョブに含まれる第２の印刷禁止解除情報が、前記解除情報入力部に入力された第２の印刷禁止解除情報と同一であるときは、当該印刷ジョブに含まれる印刷データの印刷を行う請求項５に記載の印刷システム。
【発明の詳細な説明】
【技術分野】
【０００１】
本発明は、印刷システムに関するものである。
【背景技術】
【０００２】
従来、ＬＡＮ（Ｌｏｃａｌ  Ａｒｅａ  Ｎｅｔｗｏｒｋ）等のネットワークによって相互に接続されたパーソナルコンピュータ等の端末装置、及び、該端末装置から受信した印刷データを印刷するプリンタ等の印刷装置を含む印刷システムにおいては、端末装置が印刷装置へ送信した印刷データがセキュリティを考慮すべきものである場合、ユーザ認証が行われた後に、前記印刷装置が印刷データの印刷を実行する認証印刷を行うことが可能になっている（例えば、特許文献１参照。）。
【０００３】
そして、認証印刷を行う場合、ユーザは、まず、上位装置から印刷データとともに認証ＩＤを印刷装置に送信する。続いて、ユーザは、認証ＩＤを記憶するＩＣカードを使用して、印刷装置に認証ＩＤを入力する。すると、印刷装置は、端末装置から受信した認証ＩＤとＩＣカードを使用して入力された認証ＩＤとを比較し、両者が一致した場合にのみ印刷データの印刷を実行する。
【先行技術文献】
【特許文献】
【０００４】
【特許文献１】特開２０１０−１１１０５６号公報
【発明の概要】
【発明が解決しようとする課題】
【０００５】
しかしながら、従来の印刷システムにおいては、ユーザがＩＣカードを紛失した場合、当該ＩＣカードを拾得した第３者によって印刷データの印刷が不正に実行されてしまう、というセキュリティ上の問題があった。
【０００６】
本発明は、前記従来の印刷システムにおける問題点を解決して、ユーザが情報保持媒体を紛失しても、第３者によって印刷データの印刷が不正に実行されてしまうことがなく、機密性の高い印刷データであってもセキュリティを確保することができる印刷システムを提供することを目的とする。
【課題を解決するための手段】
【０００７】
そのために、本発明の印刷システムにおいては、第１の端末装置と、第２の端末装置と、前記第１の端末装置及び第２の端末装置に接続され、前記第１の端末装置から受信した印刷ジョブに含まれる印刷データの認証印刷を行う印刷装置とを備える印刷システムであって、前記第１の端末装置は、情報保持媒体から第１の印刷禁止解除情報を取得する第１の媒体情報取得部と、前記第１の印刷禁止解除情報及び印刷データを含む印刷ジョブを生成するジョブ生成部と、前記印刷ジョブを印刷装置に送信する第１の送信部とを備え、前記第２の端末装置は、前記印刷データの印刷を禁止する印刷禁止情報を入力する情報入力部と、前記印刷禁止情報を第１の端末装置に送信する第２の送信部とを備え、前記印刷装置は、前記第１の端末装置及び第２の端末装置から前記印刷ジョブ及び印刷禁止情報をそれぞれ受信する受信部と、前記情報保持媒体から第１の印刷禁止解除情報を取得する第２の媒体情報取得部と、前記印刷データの印刷を行うか又は禁止するかを判断する判断部とを備え、該判断部は、前記第２の媒体情報取得部が第１の印刷禁止解除情報を取得したか否か、及び、前記受信部が第２の端末装置から印刷禁止情報を受信したか否かに応じて、前記印刷データの印刷を行うか又は禁止するかを判断する。
【発明の効果】
【０００８】
本発明によれば、印刷システムは、ユーザが情報保持媒体を紛失しても、第３者によって印刷データの印刷が不正に実行されてしまうことがない。これにより、機密性の高い印刷データであってもセキュリティを確保することができる。
【図面の簡単な説明】
【０００９】
【図１】本発明の実施の形態における印刷システムの構成を示すブロック図である。
【図２】本発明の実施の形態におけるＩＣカードの構成を示すブロック図である。
【図３】本発明の実施の形態におけるＰＣの動作を示すフローチャートである。
【図４】本発明の実施の形態におけるサーバの動作を示すフローチャートである。
【図５】本発明の実施の形態におけるプリンタの動作を示すフローチャートである。
【発明を実施するための形態】
【００１０】
以下、本発明の実施の形態について図面を参照しながら詳細に説明する。
【００１１】
図１は本発明の実施の形態における印刷システムの構成を示すブロック図、図２は本発明の実施の形態におけるＩＣカードの構成を示すブロック図である。
【００１２】
図１において、３０は、本実施の形態における印刷システムが有する印刷装置としてのプリンタであって、無線又は有線の通信回線網であるＬＡＮ等のネットワーク１０に接続されている。なお、前記プリンタ３０は、ネットワーク１０を介して受信した印刷データを記録用紙等の印刷媒体に印刷することができる装置であれば、いかなる装置であってもよく、例えば、ファクシミリ装置等であってもよいし、画像読取装置（スキャナ）、プリンタ、ファクシミリ装置、複写機等の機能を併せ持つ複合型プリンタ（ＭＦＰ：Ｍｕｌｔｉ  Ｆｕｎｃｔｉｏｎ  Ｐｒｉｎｔｅｒ）等であってもよいが、ここでは、ネットワークプリンタであるものとして説明する。また、前記プリンタ３０は、電子写真式プリンタ、インパクト・ドット方式プリンタ、インクジェット方式プリンタ、熱転写式プリンタ等いかなる種類のものであってもよく、さらに、モノクロプリンタであってもよいし、カラープリンタであってもよい。さらに、前記プリンタ３０は、ＣＰＵ、ＭＰＵ等の演算装置、磁気ディスク、半導体メモリ等の記憶装置、ＬＣＤ（Ｌｉｑｕｉｄ  Ｃｒｙｓｔａｌ  Ｄｉｓｐｌａｙ）パネル、ＬＥＤ（Ｌｉｇｈｔ  Ｅｍｉｔｔｉｎｇ  Ｄｉｏｄｅ）パネル等の表示装置、テンキー等の各種スイッチやボタン、タッチパネル等の入力装置、通信インターフェイス等を備える。
【００１３】
そして、前記プリンタ３０は、各装置間の情報交換に使用される情報の経路としてのネットワーク１０を介して、第１の端末装置としてのパーソナルコンピュータ（以下、「ＰＣ」）２０と、第２の端末装置としてのサーバ１１とに、通信可能に接続されている。
【００１４】
ここで、前記ＰＣ２０は、ＣＰＵ、ＭＰＵ等の演算装置、磁気ディスク、半導体メモリ等の記憶装置、ＣＲＴ（Ｃａｔｈｏｄｅ  Ｒａｙ  Ｔｕｂｅ）、ＬＣＤパネル、ＬＥＤパネル等の表示装置、キーボード等の入力装置、通信インターフェイス等を備えるコンピュータであって、プリンタ３０の利用者、すなわち、ユーザが使用して、印刷データを作成し、該印刷データをプリンタ３０に送信することができる装置であれば、いかなる装置であってもよい。
【００１５】
なお、ユーザは、自身の認証ＩＤが記録されている図２に示されるような情報保持媒体としてのＩＣカード４０を保持し、日常業務において使用するＰＣ２０が割り当てられている。
【００１６】
また、前記サーバ１１は、ＣＰＵ、ＭＰＵ等の演算装置、磁気ディスク、半導体メモリ等の記憶装置、ＣＲＴ、ＬＣＤパネル、ＬＥＤパネル等の表示装置、キーボード等の入力装置、通信インターフェイス等を備えるコンピュータであり、例えば、パーソナルコンピュータ、ワークステーション等であるが、いかなる装置であってもよい。
【００１７】
前記ＰＣ２０は、機能の観点から、アプリケーション２１、ジョブ生成部２２、解除情報格納部としてのＰＩＮ（Ｐｅｒｓｏｎａｌ  Ｉｄｅｎｔｉｆｉｃａｔｉｏｎ  Ｎｕｍｂｅｒ）記憶部２３、第１の媒体情報取得部としてのカードリーダ２４、認証ＩＤ記憶部２５、及び、第１の送信部としての送信部２６を備える。
【００１８】
前記アプリケーション２１は、ＰＣ２０にインストールされているアプリケーションプログラム等のプログラムに従って動作を行い、印刷ジョブの一部である印刷データを生成し、ジョブ生成部２２にジョブ生成を通知するとともに、カードリーダ２４にカード確認を通知する。
【００１９】
前記ジョブ生成部２２は、アプリケーション２１が生成した印刷データ、ＰＩＮ記憶部２３に格納されている第２の印刷禁止解除情報としてのＰＩＮ、及び、認証ＩＤ記憶部２５に格納されている第１の印刷禁止解除情報としての認証ＩＤに基づいて印刷ジョブを生成する。
【００２０】
前記ＰＩＮ記憶部２３は、ユーザがＰＣ２０の入力装置を操作して入力したＰＩＮを記憶して格納する。なお、ＰＩＮは、ＰＣ２０を操作して印刷ジョブを生成するユーザのみが知っている個人識別番号である。
【００２１】
前記カードリーダ２４は、ＩＣカード４０にポーリング（Ｐｏｌｌｉｎｇ）し、該ＩＣカード４０を検知すると該ＩＣカード４０の送受信部４２に認証ＩＤ取得コマンドを送信することによって、ＩＣカード４０の認証ＩＤ記憶部４１に格納されている認証ＩＤを取得する。そして、前記カードリーダ２４は、取得した認証ＩＤを認証ＩＤ記憶部２５に格納し、アプリケーション２１に認証ＩＤを取得したことを通知する。
【００２２】
前記認証ＩＤ記憶部２５は、カードリーダ２４がＩＣカード４０から取得した認証ＩＤを記憶して格納する。
【００２３】
前記送信部２６は、印刷データを含む印刷ジョブ、認証ＩＤ等の情報を、ネットワーク１０を介してプリンタ３０に送信する。
【００２４】
そして、前記サーバ１１は、機能の観点から、情報入力部としての入力部１２、及び、第２の送信部としての送信部１３を備える。
【００２５】
前記入力部１２は、ユーザがサーバ１１の入力装置を操作して印刷禁止情報としての印刷禁止ＩＤを入力する部分であり、該印刷禁止ＩＤを送信部１３に送信する。前記印刷禁止ＩＤは、具体的には、ＩＣカード４０の認証ＩＤ記憶部４１に格納されている認証ＩＤと同じフォーマットの番号である。
【００２６】
前記送信部１３は、入力部１２から取得した印刷禁止ＩＤ等の情報を、ネットワーク１０を介してプリンタ３０に送信する。
【００２７】
また、該プリンタ３０は、機能の観点から、受信部３１、第１の記憶部としてのジョブ記憶部３２、第２の記憶部としての禁止ＩＤ記憶部３３、第２の媒体情報取得部としてのカードリーダ３４、解除情報入力部としてのＰＩＮ入力部３５、及び、判断部としての印刷部３６を備える。
【００２８】
前記受信部３１は、サーバ１１及びＰＣ２０が送信した情報を、ネットワーク１０を介して受信する。そして、前記受信部３１は、サーバ１１から印刷禁止ＩＤを受信すると、受信した印刷禁止ＩＤを禁止ＩＤ記憶部３３に格納する。また、前記受信部３１は、ＰＣ２０から印刷ジョブを受信すると、受信した印刷ジョブから認証ＩＤ、印刷データ、及び、ＰＩＮを取得し、ジョブ記憶部３２に格納する。
【００２９】
該ジョブ記憶部３２は、ＰＣ２０が送信した印刷ジョブから受信部３１が取得した認証ＩＤ、印刷データ、及び、ＰＩＮを記憶して格納する。
【００３０】
前記禁止ＩＤ記憶部３３は、受信部３１がサーバ１１から受信した印刷禁止ＩＤを記憶して格納する。
【００３１】
前記カードリーダ３４は、ＩＣカード４０にポーリングし、該ＩＣカード４０を検知すると該ＩＣカード４０の送受信部４２に認証ＩＤ取得コマンドを送信することによって、ＩＣカード４０の認証ＩＤ記憶部４１に格納されている認証ＩＤを取得する。そして、前記カードリーダ３４は、印刷部３６に認証ＩＤを取得したことを通知する。
【００３２】
前記ＰＩＮ入力部３５は、ユーザがプリンタ３０の入力装置を操作して入力したＰＩＮを入力する部分であり、入力されたＰＩＮを記憶して格納する。
【００３３】
前記印刷部３６は、印刷データの印刷を実行するか、禁止するかを判断し、印刷を実行する場合、ジョブ記憶部３２に格納されている印刷データを記録媒体に印刷する。
【００３４】
さらに、前記ＩＣカード４０は、機能の観点から、認証ＩＤ記憶部４１、及び、送受信部４２を備える。
【００３５】
前記認証ＩＤ記憶部４１は、ＩＣカード４０毎に異なるユニークな番号である認証ＩＤを記憶して格納する。
【００３６】
前記送受信部４２は、ＰＣ２０のカードリーダ２４、及び、プリンタ３０のカードリーダ３４と通信し、ＰＣ２０のカードリーダ２４、又は、プリンタ３０のカードリーダ３４から認証ＩＤ取得コマンドを受信すると、認証ＩＤ記憶部４１に格納されている認証ＩＤを送信する。
【００３７】
このように、本実施の形態における印刷システムは、ＰＣ２０と、サーバ１１と、ＰＣ２０及びサーバ１１に接続され、ＰＣ２０から受信した印刷ジョブに含まれる印刷データの認証印刷を行うプリンタ３０とを備える。そして、ＰＣ２０は、ＩＣカード４０から認証ＩＤを取得するカードリーダ２４と、認証ＩＤ及び印刷データを含む印刷ジョブを生成するジョブ生成部２２とを備え、サーバ１１は、印刷データの印刷を禁止する印刷禁止ＩＤを入力する入力部１２を備え、プリンタ３０は、ＩＣカード４０から認証ＩＤを取得するカードリーダ３４と、印刷データの印刷を行うか又は禁止するかを判断する印刷部３６とを備え、印刷部３６は、カードリーダ３４が認証ＩＤを取得したか否か、及び、プリンタ３０がサーバ１１から印刷禁止ＩＤを受信したか否かに応じて、印刷データの印刷を行うか又は禁止するかを判断する。
【００３８】
より詳細には、プリンタ３０がサーバ１１から印刷禁止ＩＤを受信した場合、印刷部３６は、プリンタ３０がＰＣ２０から受信した印刷ジョブに含まれる認証ＩＤが印刷禁止ＩＤと同一であるとき、当該印刷ジョブに含まれる印刷データの印刷を禁止する。
【００３９】
なお、プリンタ３０がサーバ１１から印刷禁止ＩＤを受信しなかった場合、印刷部３６は、プリンタ３０がＰＣ２０から受信した印刷ジョブに含まれる認証ＩＤが、カードリーダ３４が取得した認証ＩＤと同一であるとき、当該印刷ジョブに含まれる印刷データの印刷を行う。
【００４０】
また、ＰＣ２０は、ＰＩＮを格納するＰＩＮ記憶部２３を更に備え、ジョブ生成部２２が生成する印刷ジョブはＰＩＮを更に含み、プリンタ３０は、ＰＩＮを入力するＰＩＮ入力部３５を更に備え、印刷部３６は、プリンタ３０がＰＣ２０から受信した印刷ジョブに含まれるＰＩＮが、ＰＩＮ入力部３５に入力されたＰＩＮと同一であるとき、当該印刷ジョブに含まれる印刷データの印刷を行う。
【００４１】
次に、前記構成の印刷システムの動作について説明する。まず、セキュリティを考慮すべき印刷データを生成してプリンタ３０に送信する場合におけるＰＣ２０の動作について説明する。
【００４２】
図３は本発明の実施の形態におけるＰＣの動作を示すフローチャートである。
【００４３】
まず、ステップＳ１で、アプリケーション２１は、印刷データを生成する。具体的には、ユーザがＰＣ２０の入力装置を操作して入力した指示に基づいて、アプリケーション２１は、文書編集ソフトウェアのような印刷操作を行うことのできるアプリケーションプログラムによって印刷データを生成し、カードリーダ２４にカード確認を通知する。
【００４４】
続いて、ステップＳ２で、カードリーダ２４は、カード確認を行う。具体的には、カードリーダ２４は、ユーザが自身の認証ＩＤが記録されているＩＣカード４０をカードリーダ２４に近付け、認証ＩＤの読取り、すなわち、取得を行わせようとしていることについての確認を行う。
【００４５】
続いて、ステップＳ３で、カードリーダ２４は、カード検知か否かを判断する。具体的には、カードリーダ２４は、ＩＣカード４０を検知したか否かを判断する。そして、カード検知の場合、すなわち、ＩＣカード４０を検知したことを確認した場合にはステップＳ４に移行し、カード検知でない場合、すなわち、ＩＣカード４０を検知しなかった場合にはステップＳ２に戻り、カードリーダ２４は、ＩＣカード４０を検知するまで、動作を繰り返す。
【００４６】
続いて、ステップＳ４で、カードリーダ２４は、認証ＩＤを格納する。具体的には、カードリーダ２４は、ＩＣカード４０の送受信部４２に認証ＩＤ取得コマンドを送信することによって、ＩＣカード４０の認証ＩＤ記憶部４１に格納されている認証ＩＤを取得し、取得した認証ＩＤを認証ＩＤ記憶部２５に格納するとともに、アプリケーション２１に認証ＩＤを取得したことを通知する。
【００４７】
続いて、ステップＳ５で、ジョブ生成部２２は、印刷ジョブを生成する。具体的には、アプリケーション２１がジョブ生成部２２に印刷ジョブ生成を通知すると、ジョブ生成部２２は、ステップＳ１でアプリケーション２１が生成した印刷データ、ＰＩＮ記憶部２３に格納されているＰＩＮ、及び、ステップＳ４で認証ＩＤ記憶部２５に格納された認証ＩＤに基づいて、印刷ジョブを生成する。
【００４８】
なお、ユーザがＰＣ２０の入力装置を操作してＰＩＮを入力せず、前記ＰＩＮ記憶部２３にＰＩＮが格納されなかった場合、ＰＩＮの値にはデフォルト値が適用される。
【００４９】
最後に、ステップＳ６で、送信部２６は、送信する。具体的には、送信部２６は、ステップＳ５で印刷ジョブ生成部２２が生成した印刷ジョブを印刷ジョブ生成部２２から受け取ると、当該印刷ジョブを、ネットワーク１０を介して、プリンタ３０に送信する。
【００５０】
次に、フローチャートについて説明する。
ステップＳ１  アプリケーション２１は、印刷データを生成する。
ステップＳ２  カードリーダ２４は、カード確認を行う。
ステップＳ３  カードリーダ２４は、カード検知か否かを判断する。ＩＣカード４０を検知したことを確認した場合はステップＳ４に進み、ＩＣカード４０を検知しなかった場合はステップＳ２に戻る。
ステップＳ４  カードリーダ２４は、認証ＩＤを格納する。
ステップＳ５  ジョブ生成部２２は、印刷ジョブを生成する。
ステップＳ６  送信部２６は、送信する。
【００５１】
次に、ＰＣ２０からプリンタ３０に送信された印刷データの印刷禁止要求をプリンタ３０に送信する場合におけるサーバ１１の動作について説明する。
【００５２】
図４は本発明の実施の形態におけるサーバの動作を示すフローチャートである。
【００５３】
まず、ステップＳ１１で、入力部１２は、印刷禁止入力確認を行う。具体的には、入力部１２は、ユーザがサーバ１１の入力装置を操作して印刷禁止ＩＤを入力したことについての確認を行う。
【００５４】
続いて、ステップＳ１２で、入力部１２は、入力有か否かを判断する。具体的には、入力部１２は、ユーザがサーバ１１の入力装置を操作して印刷禁止ＩＤを入力したか否かを判断する。そして、入力有の場合、すなわち、ユーザが印刷禁止ＩＤを入力した場合にはステップＳ１３に移行し、入力無の場合、すなわち、ユーザが印刷禁止ＩＤを入力しなかった場合にはステップＳ１１に戻り、入力部１２は、ユーザが印刷禁止ＩＤを入力するまで、動作を繰り返す。
【００５５】
最後に、ステップＳ１３で、送信部１３は、印刷禁止ＩＤを送信する。具体的には、送信部１３は、ユーザが入力した印刷禁止ＩＤを入力部１２から受け取ると、当該印刷禁止ＩＤを含む印刷禁止要求を、ネットワーク１０を介して、プリンタ３０に送信する。
【００５６】
次に、フローチャートについて説明する。
ステップＳ１１  入力部１２は、印刷禁止入力確認を行う。
ステップＳ１２  入力部１２は、入力有か否かを判断する。ユーザが印刷禁止ＩＤを入力した場合はステップＳ１３に進み、ユーザが印刷禁止ＩＤを入力しなかった場合はステップＳ１１に戻る。
ステップＳ１３  送信部１３は、印刷禁止ＩＤを送信する。
【００５７】
次に、ＰＣ２０から受信したセキュリティを考慮すべき印刷データの印刷を行う場合におけるプリンタ３０の動作について説明する。
【００５８】
図５は本発明の実施の形態におけるプリンタの動作を示すフローチャートである。
【００５９】
まず、ステップＳ２１で、受信部３１は、ジョブを受信する。具体的には、受信部３１は、ＰＣ２０から送信された印刷ジョブを、ネットワーク１０を介して、受信する。
【００６０】
続いて、ステップＳ２２で、受信部３１は、認証ＩＤ、ＰＩＮを取得する。具体的には、受信部３１は、ステップＳ２１で受信した印刷ジョブから、印刷データ、認証ＩＤ及びＰＩＮを取得し、ジョブ記憶部３２に格納する。
【００６１】
続いて、ステップＳ２３で、カードリーダ３４は、カード確認を行う。具体的には、カードリーダ３４は、ユーザが自身の認証ＩＤが記録されているＩＣカード４０をカードリーダ３４に近付け、認証ＩＤの読取り、すなわち、取得を行わせようとしていることについての確認を行う。
【００６２】
続いて、ステップＳ２４で、カードリーダ３４は、カード検知か否かを判断する。具体的には、カードリーダ３４は、ＩＣカード４０を検知したか否かを判断する。そして、カード検知の場合、すなわち、ＩＣカード４０を検知したことを確認した場合にはステップＳ２５に移行し、カード検知でない場合、すなわち、ＩＣカード４０を検知しなかった場合にはステップＳ３１に移行する。
【００６３】
続いて、ステップＳ２５で、カードリーダ３４は、認証ＩＤを格納する。具体的には、カードリーダ３４は、ＩＣカード４０の送受信部４２に認証ＩＤ取得コマンドを送信することによって、ＩＣカード４０の認証ＩＤ記憶部４１に格納されている認証ＩＤを取得し、取得した認証ＩＤを保持するとともに、印刷部３６に認証ＩＤを取得したことを通知する。
【００６４】
続いて、ステップＳ２６で、印刷部３６は、印刷禁止ＩＤ確認を行う。具体的には、印刷部３６は、サーバ１１から送信され、ネットワーク１０を介して、受信部３１が受信した印刷禁止要求に含まれる印刷禁止ＩＤが、禁止ＩＤ記憶部３３に格納されていることについての確認を行う。
【００６５】
続いて、ステップＳ２７で、印刷部３６は、ＩＤ有か否かを判断する。具体的には、印刷部３６は、印刷禁止ＩＤが禁止ＩＤ記憶部３３に格納されているか否かを判断する。そして、ＩＤ有の場合、すなわち、印刷禁止ＩＤが禁止ＩＤ記憶部３３に格納されている場合にはステップＳ２８に移行し、ＩＤ無の場合、すなわち、印刷禁止ＩＤが禁止ＩＤ記憶部３３に格納されていない場合にはステップＳ３５に移行する。
【００６６】
続いて、ステップＳ２８で、印刷部３６は、認証ＩＤ比較を行う。具体的には、印刷部３６は、ステップＳ２５でカードリーダ３４が取得して保持している認証ＩＤと、禁止ＩＤ記憶部３３に格納されている印刷禁止ＩＤとを比較する。
【００６７】
続いて、ステップＳ２９で、印刷部３６は、一致か否かを判断する。具体的には、印刷部３６は、カードリーダ３４が取得して保持している認証ＩＤと、禁止ＩＤ記憶部３３に格納されている印刷禁止ＩＤとが一致しているか否かを判断する。
【００６８】
そして、一致の場合、すなわち、カードリーダ３４が取得して保持している認証ＩＤと、禁止ＩＤ記憶部３３に格納されている印刷禁止ＩＤとが一致している場合には、ステップＳ２１で受信部３１がＰＣ２０から受信した印刷ジョブに含まれる印刷データの印刷が、サーバ１１から送信された印刷禁止要求によって禁止されたと判断されるので、ステップＳ３０に移行する。
【００６９】
また、一致でない場合、すなわち、カードリーダ３４が取得して保持している認証ＩＤと、禁止ＩＤ記憶部３３に格納されている印刷禁止ＩＤとが一致していない場合には、ステップＳ２１で受信部３１がＰＣ２０から受信した印刷ジョブに含まれる印刷データの印刷が、サーバ１１から送信された印刷禁止要求によって禁止されてはいないと判断されるので、ステップＳ３５に移行する。
【００７０】
続いて、ステップＳ３０で、印刷部３６は、印刷禁止表示を行う。具体的には、印刷部３６は、印刷データの印刷が禁止されている旨のメッセージをプリンタ３０の表示装置に表示させる。そして、ステップＳ２３に戻る。
【００７１】
そして、ステップＳ３１で、印刷部３６は、ＰＩＮ入力確認を行う。具体的には、印刷部３６は、ユーザがプリンタ３０の入力装置を操作して入力したＰＩＮが、ＰＩＮ入力部３５に入力されて格納されていることについての確認を行う。
【００７２】
続いて、ステップＳ３２で、印刷部３６は、入力有か否かを判断する。具体的には、印刷部３６は、ＰＩＮ入力部３５にＰＩＮが入力されて格納されているか否かを判断する。そして、入力有の場合、すなわち、ＰＩＮ入力部３５にＰＩＮが格納されている場合にはステップＳ３３に移行し、入力無の場合、すなわち、ＰＩＮ入力部３５にＰＩＮが格納されていない場合にはステップＳ２３に戻る。
【００７３】
続いて、ステップＳ３３で、印刷部３６は、ＰＩＮ比較を行う。具体的には、印刷部３６は、ユーザがプリンタ３０の入力装置を操作して入力し、ＰＩＮ入力部３５に格納されているＰＩＮと、ステップＳ２２で受信部３１が取得してジョブ記憶部３２に格納したＰＩＮとを比較する。
【００７４】
続いて、ステップＳ３４で、印刷部３６は、一致か否かを判断する。具体的には、印刷部３６は、ユーザがプリンタ３０の入力装置を操作して入力し、ＰＩＮ入力部３５に格納されているＰＩＮと、ステップＳ２２で受信部３１が取得してジョブ記憶部３２に格納したＰＩＮとが一致しているか否かを判断する。
【００７５】
そして、一致の場合、すなわち、ＰＩＮ入力部３５に格納されているＰＩＮと、ジョブ記憶部３２に格納されているＰＩＮとが一致している場合には、ステップＳ２１で受信部３１がＰＣ２０から受信した印刷ジョブに含まれる印刷データの印刷が、ＰＣ２０の入力装置を操作して印刷データの生成を指示したユーザ自身によって認証されたと判断されるので、ステップＳ３７に移行する。
【００７６】
また、一致でない場合、すなわち、ＰＩＮ入力部３５に格納されているＰＩＮと、ジョブ記憶部３２に格納されているＰＩＮとが一致していない場合には、ＰＩＮ入力部３５に格納されているＰＩＮは無効であって、ステップＳ２１で受信部３１がＰＣ２０から受信した印刷ジョブに含まれる印刷データの印刷が、ＰＣ２０の入力装置を操作して印刷データの生成を指示したユーザ自身によって認証されてはいないと判断されるので、ステップＳ２３に戻る。この場合、印刷部３６は、プリンタ３０の入力装置を操作して入力されたＰＩＮは無効である旨のメッセージをプリンタ３０の表示装置に表示させる。
【００７７】
そして、ステップＳ３５で、印刷部３６は、認証ＩＤ比較を行う。具体的には、印刷部３６は、ステップＳ２５でカードリーダ３４が取得して保持している認証ＩＤと、ステップＳ２２で受信部３１が取得してジョブ記憶部３２に格納した認証ＩＤとを比較する。
【００７８】
続いて、ステップＳ３６で、印刷部３６は、一致か否かを判断する。具体的には、印刷部３６は、カードリーダ３４が取得して保持している認証ＩＤと、ステップＳ２２で受信部３１が取得してジョブ記憶部３２に格納した認証ＩＤとが一致しているか否かを判断する。
【００７９】
そして、一致の場合、すなわち、カードリーダ３４が取得して保持している認証ＩＤと、ジョブ記憶部３２に格納されている認証ＩＤとが一致している場合には、ステップＳ２１で受信部３１がＰＣ２０から受信した印刷ジョブに含まれる印刷データの印刷が、ＰＣ２０の入力装置を操作して印刷データの生成を指示したユーザ自身によって認証されたと判断されるので、ステップＳ３７に移行する。
【００８０】
また、一致でない場合、すなわち、カードリーダ３４が取得して保持している認証ＩＤと、ジョブ記憶部３２に格納されている認証ＩＤとが一致していない場合には、カードリーダ３４が保持している認証ＩＤは無効であって、ステップＳ２１で受信部３１がＰＣ２０から受信した印刷ジョブに含まれる印刷データの印刷が、ＰＣ２０の入力装置を操作して印刷データの生成を指示したユーザ自身によって認証されてはいないと判断されるので、ステップＳ２３に戻る。
【００８１】
最後に、ステップＳ３７で、印刷部３６は、印刷を行う。具体的には、印刷部３６は、ステップＳ２２で受信部３１が取得してジョブ記憶部３２に格納した印刷データを、記録用紙等の印刷媒体に印刷する。
【００８２】
次に、フローチャートについて説明する。
ステップＳ２１  受信部３１は、ジョブを受信する。
ステップＳ２２  受信部３１は、認証ＩＤ、ＰＩＮを取得する。
ステップＳ２３  カードリーダ３４は、カード確認を行う。
ステップＳ２４  カードリーダ３４は、カード検知か否かを判断する。ＩＣカード４０を検知したことを確認した場合はステップＳ２５に進み、ＩＣカード４０を検知しなかった場合はステップＳ３１に進む。
ステップＳ２５  カードリーダ３４は、認証ＩＤを格納する。
ステップＳ２６  印刷部３６は、印刷禁止ＩＤ確認を行う。
ステップＳ２７  印刷部３６は、ＩＤ有か否かを判断する。印刷禁止ＩＤが禁止ＩＤ記憶部３３に格納されている場合はステップＳ２８に進み、印刷禁止ＩＤが禁止ＩＤ記憶部３３に格納されていない場合はステップＳ３５に進む。
ステップＳ２８  印刷部３６は、認証ＩＤ比較を行う。
ステップＳ２９  印刷部３６は、一致か否かを判断する。カードリーダ３４が取得して保持している認証ＩＤと、禁止ＩＤ記憶部３３に格納されている印刷禁止ＩＤとが一致している場合はステップＳ３０に進み、カードリーダ３４が取得して保持している認証ＩＤと、禁止ＩＤ記憶部３３に格納されている印刷禁止ＩＤとが一致していない場合はステップＳ３５に進む。
ステップＳ３０  印刷部３６は、印刷禁止表示を行う。
ステップＳ３１  印刷部３６は、ＰＩＮ入力確認を行う。
ステップＳ３２  印刷部３６は、入力有か否かを判断する。ＰＩＮ入力部３５にＰＩＮが格納されている場合はステップＳ３３に進み、ＰＩＮ入力部３５にＰＩＮが格納されていない場合はステップＳ２３に戻る。
ステップＳ３３  印刷部３６は、ＰＩＮ比較を行う。
ステップＳ３４  印刷部３６は、一致か否かを判断する。ＰＩＮ入力部３５に格納されているＰＩＮと、ジョブ記憶部３２に格納されているＰＩＮとが一致している場合はステップＳ３７に進み、ＰＩＮ入力部３５に格納されているＰＩＮと、ジョブ記憶部３２に格納されているＰＩＮとが一致していない場合はステップＳ２３に戻る。
ステップＳ３５  印刷部３６は、認証ＩＤ比較を行う。
ステップＳ３６  印刷部３６は、一致か否かを判断する。カードリーダ３４が取得して保持している認証ＩＤと、ジョブ記憶部３２に格納されている認証ＩＤとが一致している場合はステップＳ３７に進み、カードリーダ３４が取得して保持している認証ＩＤと、ジョブ記憶部３２に格納されている認証ＩＤとが一致していない場合はステップＳ２３に戻る。
ステップＳ３７  印刷部３６は、印刷を行う。
【００８３】
なお、本実施の形態においては、サーバ１１から１台のプリンタ３０に印刷禁止要求を送信する例について説明したが、サーバ１１から複数台のプリンタ３０に印刷禁止要求を送信することもできる。
【００８４】
また、本実施の形態においては、認証ＩＤは番号であるものとして説明したが、認証ＩＤは文字列であってもよい。
【００８５】
さらに、本実施の形態においては、プリンタ３０がネットワークプリンタであるものとして説明したが、プリンタ３０は、画像読取装置、プリンタ、ファクシミリ装置、複写機等の機能を併せ持つ複合型プリンタであってもよい。
【００８６】
このように、本実施の形態においては、印刷データを生成したユーザがＩＣカード４０を紛失した場合、紛失したＩＣカード４０の認証ＩＤ記憶部４１に格納されている認証ＩＤを印刷禁止ＩＤとして、サーバ１１からプリンタ３０に送信することによって、当該印刷データの印刷を禁止することができる。これにより、ＩＣカード４０を拾得した第３者よって当該印刷データの印刷が不正に実行されることがない。また、ＩＣカード４０を紛失したユーザは、プリンタ３０にＰＩＮを入力することによって当該印刷データの印刷を実行することができるので、印刷不能という事態に陥ることがない。
【００８７】
なお、本発明は前記実施の形態に限定されるものではなく、本発明の趣旨に基づいて種々変形させることが可能であり、それらを本発明の範囲から排除するものではない。
【産業上の利用可能性】
【００８８】
本発明は、印刷システムに利用することができる。
【符号の説明】
【００８９】
１１    サーバ
１２    入力部
２０    ＰＣ
２２    ジョブ生成部
２３    ＰＩＮ記憶部
２４、３４    カードリーダ
３０    プリンタ
３５    ＰＩＮ入力部
３６    印刷部
４０    ＩＣカード
【図１】
2016139347.tif 000003
【図２】
2016139347.tif 000004
【図３】
2016139347.tif 000005
【図４】
2016139347.tif 000006
【図５】
2016139347.tif 000007